【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
前面枠と、該前面枠の裏面側に開閉可能な状態で軸着された裏機構盤と、を備えた遊技機において、
前記裏機構盤は、タンク装着部を含んで形成された機構ベース部と、タンク装着部の裏面側に装着され、遊技球を貯留可能な球貯留タンクと、を備え、
前記タンク装着部と球貯留タンクとの間には、タンク装着部を補強する補強部材を配置し、該補強部材を導電性部材で構成し、
前記球貯留タンクは、上面を開放した箱状に形成されるとともに、底部が一方へ向かって下り傾斜して形成され、該下り傾斜の下端側の側壁には前記補強部材の一部を臨ませる開口部が遊技球よりも大きく開設され、該開口部を介して球貯留タンク内の遊技球を補強部材へ当接可能とし、
前記補強部材のうち開口部に臨む箇所に前記補強部材の一部を折り返して形成した突出部を球貯留タンクの内部へ向けて突設し、
前記突出部の上縁部に開口部の上縁部を摺動してタンク装着部に球貯留タンクを装着可能としたことを特徴とする遊技機。
【請求項２】
前記突出部の上縁部に開口部の上縁部を載置可能とし、
前記機構ベース部のうち補強部材の突出部の下方には、裏機構盤を前面枠に対して開閉可能とする機構盤ヒンジ部を備え、該機構盤ヒンジ部と補強部材の突出部とを連結し、機構盤ヒンジ部により突出部を支持可能としたことを特徴とする請求項１に記載の遊技機。
【請求項３】
前記前面枠の上部には遊技盤が収納され、
前記球貯留タンクは、前記裏機構盤を閉じた状態で後方に位置する第１貯留部と、該第１貯留部に連通して第１貯留部よりも前記タンク装着部側に形成された第２貯留部と、を備え、
前記第１貯留部は、前記第２貯留部よりも深く設定され、
球貯留タンクの外側面のうち、前記第１貯留部の底面と前記第２貯留部の底面との間に形成された外側面をタンク側押圧部とし、
前記裏機構盤を前面枠の裏面側に閉じた状態で前記タンク側押圧部を遊技盤の裏側面へ当接可能としたことを特徴とする請求項１または２に記載の遊技機。
【手続補正２】
【補正対象書類名】明細書
【補正対象項目名】０００５
【補正方法】変更
【補正の内容】
【０００５】
本発明は、上記目的を達成するために提案されたものであり、請求項１に記載のものは、前面枠と、該前面枠の裏面側に開閉可能な状態で軸着された裏機構盤と、を備えた遊技機において、
前記裏機構盤は、タンク装着部を含んで形成された機構ベース部と、タンク装着部の裏面側に装着され、遊技球を貯留可能な球貯留タンクと、を備え、
前記タンク装着部と球貯留タンクとの間には、タンク装着部を補強する補強部材を配置し、該補強部材を導電性部材で構成し、
前記球貯留タンクは、上面を開放した箱状に形成されるとともに、底部が一方へ向かって下り傾斜して形成され、該下り傾斜の下端側の側壁には前記補強部材の一部を臨ませる開口部が遊技球よりも大きく開設され、該開口部を介して球貯留タンク内の遊技球を補強部材へ当接可能とし、
前記補強部材のうち開口部に臨む箇所に前記補強部材の一部を折り返して形成した突出部を球貯留タンクの内部へ向けて突設し、
前記突出部の上縁部に開口部の上縁部を摺動してタンク装着部に球貯留タンクを装着可能としたことを特徴とする遊技機である。
【手続補正３】
【補正対象書類名】明細書
【補正対象項目名】０００６
【補正方法】変更
【補正の内容】
【０００６】
請求項２に記載のものは、前記突出部の上縁部に開口部の上縁部を載置可能とし、
前記機構ベース部のうち補強部材の突出部の下方には、裏機構盤を前面枠に対して開閉可能とする機構盤ヒンジ部を備え、該機構盤ヒンジ部と補強部材の突出部とを連結し、機構盤ヒンジ部により突出部を支持可能としたことを特徴とする請求項１に記載の遊技機である。
【手続補正４】
【補正対象書類名】明細書
【補正対象項目名】０００７
【補正方法】変更
【補正の内容】
【０００７】
請求項３に記載のものは、前記前面枠の上部には遊技盤が収納され、
前記球貯留タンクは、前記裏機構盤を閉じた状態で後方に位置する第１貯留部と、該第１貯留部に連通して第１貯留部よりも前記タンク装着部側に形成された第２貯留部と、を備え、
前記第１貯留部は、前記第２貯留部よりも深く設定され、
球貯留タンクの外側面のうち、前記第１貯留部の底面と前記第２貯留部の底面との間に形成された外側面をタンク側押圧部とし、
前記裏機構盤を前面枠の裏面側に閉じた状態で前記タンク側押圧部を遊技盤の裏側面へ当接可能としたことを特徴とする請求項１または２に記載の遊技機である。
【手続補正５】
【補正対象書類名】明細書
【補正対象項目名】０００８
【補正方法】変更
【補正の内容】
【０００８】
本発明によれば、以下のような優れた効果を奏する。
請求項１に記載の発明によれば、前面枠と、該前面枠の裏面側に開閉可能な状態で軸着された裏機構盤とを備えた遊技機において、裏機構盤は、タンク装着部を含んで形成された機構ベース部と、タンク装着部の裏面側に装着され、遊技球を貯留可能な球貯留タンクとを備え、タンク装着部と球貯留タンクとの間には、タンク装着部を補強する補強部材を配置し、該補強部材を導電性部材で構成し、球貯留タンクは、上面を開放した箱状に形成されるとともに、底部が一方へ向かって下り傾斜して形成され、該下り傾斜の下端側の側壁には補強部材の一部を臨ませる開口部が遊技球よりも大きく開設され、該開口部を介して球貯留タンク内の遊技球を補強部材へ当接可能としたので、球貯留タンク内の遊技球に帯電した静電気を、補強部材を通して除去することができる。したがって、遊技球に帯電した静電気を除去する構成を補強部材とは別個に備える必要がなく、遊技球の静電気を除去可能な遊技機の構成部品数が多くなることを抑制することができる。
また、前記補強部材のうち開口部に臨む箇所に前記補強部材の一部を折り返して形成した突出部を球貯留タンクの内部へ向けて突設し、前記突出部の上縁部に開口部の上縁部を摺動してタンク装着部に球貯留タンクを装着可能としたので、球貯留タンクをタンク装着部へ装着するガイドとして補強部材の一部を利用することができる。
【手続補正６】
【補正対象書類名】明細書
【補正対象項目名】０００９
【補正方法】変更
【補正の内容】
【０００９】
請求項２に記載の発明によれば、前記突出部の上縁部に開口部の上縁部を載置可能とし、前記機構ベース部のうち補強部材の突出部の下方には、裏機構盤を前面枠に対して開閉可能とする機構盤ヒンジ部を備え、該機構盤ヒンジ部と補強部材の突出部とを連結し、機構盤ヒンジ部により突出部を支持可能としたので、球貯留タンクに貯留された遊技球の重量を、突出部および補強部材を介して機構盤ヒンジ部で支持することができる。
【手続補正７】
【補正対象書類名】明細書
【補正対象項目名】００１０
【補正方法】変更
【補正の内容】
【００１０】
請求項３に記載の発明によれば、前記前面枠の上部には遊技盤が収納され、前記球貯留タンクは、前記裏機構盤を閉じた状態で後方に位置する第１貯留部と、該第１貯留部に連通して第１貯留部よりも前記タンク装着部側に形成された第２貯留部と、を備え、前記第１貯留部は、前記第２貯留部よりも深く設定され、球貯留タンクの外側面のうち、前記第１貯留部の底面と前記第２貯留部の底面との間に形成された外側面をタンク側押圧部とし、前記裏機構盤を前面枠の裏面側に閉じた状態で前記タンク側押圧部を遊技盤の裏側面へ当接可能としたので、裏機構盤を閉じると、遊技盤は、後方への移動をタンク側押圧部により規制されることとなり、遊技盤の収納状態を維持することができる。したがって、裏機構盤を閉状態へ変換する動作と、遊技盤の収納状態を維持する動作とを併せて行うことができ、遊技機の組立作業や機種交換作業を効率よく行うことができる。